(57)【要約】【課題】  広告提供者および広告製作者は広告宣伝効果を確認することができ、通信事業者は、通信の多い時間帯の大容量データ通信を避け、通信の少ない時間帯のデータ通信収益を上げることができ、ユーザーは趣味趣向に即した内容の広告をユーザーが視聴可能なときに視聴ができる、高い広告宣伝効果を発揮する広告配信システムを提供すること。【解決手段】  広告会社サーバ２と、通信会社サーバ３と、通信ネットワーク５とユーザー端末６を有し、ユーザー端末６へ広告コンテンツ情報を配信し、広告コンテンツ情報再生後にアンケート結果入力情報により入力されたアンケート結果情報を広告会社サーバ２へフィードバックさせる広告配信システム１。【選択図】  図１
2012164297.tif 000002
【特許請求の範囲】
【請求項１】
広告会社より提供される広告コンテンツ情報をユーザー端末に提供する広告配信システムであって、
広告会社サーバと情報伝達可能な状態にある広告コンテンツ情報を蓄積する広告データベースと、通信ネットワークと、前記通信ネットワークに接続されてなるユーザー端末とを有し、
前記ユーザー端末は前記広告データベースにアクセスし前記広告データベースから広告コンテンツ情報をダウンロードする手段と、前記広告コンテンツ情報を蓄積する手段と、蓄積された広告コンテンツ情報を再生する手段と、前記広告コンテンツ情報再生後にアンケート結果情報を入力させるための入力表示情報を表示するアンケート結果情報入力誘導手段と、前記アンケート結果情報入力誘導手段より入力されたアンケート結果情報、広告コンテンツ情報を特定する情報を前記広告会社サーバに伝達する手段を有し、
前記広告会社データベースよりユーザー端末にダウンロードされた広告コンテンツ情報を前記ユーザー端末において再生し、広告コンテンツ情報再生後に入力されたアンケート結果情報を前記広告会社サーバへフィードバック送信することを特徴とする広告配信システム。
【請求項２】
広告会社より提供される広告コンテンツ情報をユーザー端末に提供する広告配信システムであって、
広告会社サーバと情報伝達可能な状態にある広告コンテンツ情報を蓄積する広告データベースと、通信ネットワークと、前記通信ネットワークに接続されてなるユーザー端末とを有し、
前記広告会社サーバまたは通信会社サーバは前記広告データベースに蓄積された前記広告コンテンツ情報を、前記通信ネットワークを通じて前記ユーザー端末に配信する広告コンテンツ情報配信手段を有し、
前記ユーザー端末は前記広告コンテンツ情報を蓄積する手段と、蓄積された広告コンテンツ情報を再生する手段と、前記広告コンテンツ情報再生後にアンケート結果情報を入力させるための入力表示情報を表示するアンケート結果情報入力誘導手段と、前記アンケート結果情報入力誘導手段より入力されたアンケート結果情報と、広告コンテンツ情報を特定する情報を前記広告会社サーバに伝達する手段を有し、
前記広告会社サーバより前記ユーザー端末に配信された広告コンテンツ情報を前記ユーザー端末において再生し、広告コンテンツ情報再生後に入力されたアンケート結果情報を広告会社サーバへフィードバック送信させることを特徴とする広告配信システム。
【請求項３】
広告会社より提供される広告コンテンツ情報をユーザー端末に配信する広告配信システムであって、
広告会社サーバと情報伝達可能な状態にある暗号化された広告コンテンツ情報を蓄積する広告データベースと、第１の通信ネットワークと、第２の通信ネットワークと前記第１および第２の通信ネットワークに接続されてなるユーザー端末とを有し、
前記広告会社サーバまたは通信会社サーバは前記暗号化された広告コンテンツ情報を、前記第１の通信ネットワークを通じて前記ユーザー端末に配信する広告コンテンツ情報配信手段と、
前記暗号化された広告コンテンツ情報を復元するための広告コンテンツ情報に対応する広告認証キーを、前記第２の通信ネットワークを通じて前記ユーザー端末に配信する広告認証キー配信手段を有し、
前記ユーザー端末は前記広告コンテンツ情報を蓄積する手段と、蓄積された前記広告ＩＤと前記広告認証キーを照合する広告認証キー照合手段と、前記広告認証キー照合手段により前記広告コンテンツ情報と前記広告認証キーが適合することを条件に前記広告コンテンツ情報を再生可能に復元する手段と、前記広告コンテンツ情報を再生する手段と、前記広告コンテンツ情報再生後にアンケート結果情報を入力させるためのアンケート結果入力情報を表示するアンケート結果情報入力誘導手段と、前記アンケート結果情報入力誘導手段より入力されたアンケート結果情報と、広告コンテンツ情報を特定する情報を広告会社サーバに伝達する手段を有し、
前記広告会社よりユーザー端末に配信された広告コンテンツ情報をユーザー端末において再生し、広告コンテンツ情報再生後に入力されたアンケート結果情報を広告会社サーバへフィードバック送信させることを特徴とする広告配信システム。
【請求項４】
前記第１の通信ネットワークは放送ネットワークであり、前記第２の通信ネットワークは双方向型通信ネットワークであることを特徴とする請求項３記載の広告配信システム。
【請求項５】
前記アンケート結果情報入力誘導手段は、広告コンテンツ情報再生後一定時間入力表示情報を表示する手段とし、広告コンテンツ情報再生後一定時間内にアンケート結果情報を入力可能としたことを特徴とする請求項１乃至４のいずれかに記載の広告配信システム。
【請求項６】
ユーザー端末には、所定日時または所定時に前記広告データベースにアクセスし前記広告データベースから広告コンテンツ情報をダウンロードする手段を動作させるアクセス日時制御手段が格納され、所定のアクセス日時またはアクセス時に前記ユーザー端末が広告データベースにアクセスすることを特徴とする請求項１または５に記載の広告配信システム。
【請求項７】
前記広告コンテンツ情報配信手段は、所定日時または所定時に広告コンテンツ情報配信手段を動作させる配信日時制御手段を有し、前記配信日時制御手段により所定の配信日時または配信時に前記広告コンテンツ情報を前記ユーザー端末へ配信することを特徴とする請求項２乃至５のいずれかに記載の広告配信システム。
【請求項８】
前記広告会社サーバおよび／または通信会社サーバと情報伝達可能な状態にある契約者ＩＤに対応する課金テーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された前記契約者ＩＤの課金テーブルから割引料を減算する減算手段を有し、アンケート結果情報を送信したユーザー端末に対応する課金テーブルに課金される通信料から割引料を減額することを特徴とする請求項１乃至７のいずれかに記載の広告配信システム。
【請求項９】
前記広告会社サーバおよび／または通信会社サーバと情報伝達可能な状態にある契約者ＩＤに対応する課金テーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された回数を計測する計測手段と、所定期間あたりに照合された回数が所定回数未満であることを条件として、前記ユーザー端末と対応する契約者ＩＤに対応する課金テーブルへ所定の通信料を課金する課金手段を有し、アンケート結果情報をフィードバックした回数が所定回数に満たなかったユーザー端末に対応する課金テーブルに所定の通信料を課金することを特徴とする請求項１乃至７のいずれかに記載の広告配信システム。
【請求項１０】
前記広告会社サーバおよび／または通信会社サーバと情報伝達可能な状態にある契約者ＩＤに対応する課金テーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された回数を計測する計測手段と、所定期間あたりに照合された回数が所定回数以上であることを条件として、所定の通信料から割引料を減算する減算手段と、前記ユーザー端末と対応する契約者ＩＤに対応する課金テーブルへ所定の通信料から割引料を減算した通信料を課金する課金手段を有し、アンケート結果情報をフィードバックした回数が所定回数に満たなかったユーザー端末に対応する課金テーブルに所定の通信料を課金する手段を有することを特徴とする請求項１乃至７のいずれかに記載の広告配信システム。
【請求項１１】
契約者ＩＤに対応する前記課金テーブルおよび寄付金テーブルへの前記割引料の分配割合を設定する割合設定手段を有し、前記分配割合に応じた金額を、課金テーブルから減算するとともに前記分配割合に応じた金額を、寄付金テーブルへ加算することを特徴とする請求項８または１０に記載の広告配信システム。
【請求項１２】
前記広告会社サーバおよび／または通信会社サーバと情報伝達可能にある契約者ＩＤに対応するポイントテーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された前記契約者ＩＤのポイントテーブルにポイントを加算する手段を有し、アンケート結果情報を送信したユーザー端末に対応するポイントテーブルに所定のポイントを加算することを特徴とする請求項１乃至１１のいずれかに記載の広告配信システム。
【請求項１３】
前記広告会社サーバおよび／または通信会社サーバと情報伝達可能な前記契約者ＩＤに対応するポイントテーブルを有し、ユーザー端末よりアンケート結果情報がフィードバック送信されたこと確認する確認手段と、前記アンケート結果情報を送信したユーザー端末番号またはユーザーＩＤと契約者ＩＤとを照合する契約者照合手段と、前記契約者照合手段により照合された回数を計測する計測手段と、所定期間あたりに照合された回数が所定回数以上であることを条件として、アンケート結果情報を送信したユーザー端末に対応するポイントテーブルに所定のポイントを加算することを特徴とする請求項１乃至１１のいずれかに記載の広告配信システム。
【請求項１４】
前記広告会社サーバおよび／または通信会社サーバと情報伝達可能な契約者属性データが蓄積されてなる契約者属性データベースを有し、前記広告コンテンツ情報に関連づけられる配信希望属性データと契約者属性データベースに蓄積された契約者属性データとを照合するユーザー属性照合手段を有し、前記通信会社サーバは前記ユーザー属性照合手段により前記配信希望属性データと前記契約者属性データが一致した者のユーザー端末に広告コンテンツ情報を配信することを特徴とする請求項１乃至１３のいずれかに記載の広告配信システム。
【請求項１５】
前記広告会社サーバは、アンケート結果情報を蓄積するマーケティングデータベースを有し、ユーザー端末より伝達されたアンケート結果情報を受信するアンケート結果情報受信手段と、受信した前記アンケート結果情報を選択肢毎に点数に換算するアンケート結果演算手段と、前記アンケート結果演算手段により点数化されたアンケート結果情報と前記広告コンテンツ情報を特定する広告ＩＤを関連づけて蓄積する手段を有することを特徴とする請求項１乃至１４のいずれかに記載の広告配信システム。
【請求項１６】
前記広告会社サーバには、商品またはサービスの詳細情報・購入情報を含む電子商取引サイトデータが蓄積されてなる電子商取引サイトデータベースが構築されてなり、前記ユーザー端末は、前記ユーザー端末で再生された広告コンテンツ情報に関連づけられている識別子に対応する電子商取引ウェブサイトにアクセスするアクセス手段を有することを特徴とする請求項１乃至１５のいずれかに記載の広告配信システム。
【請求項１７】
前記広告コンテンツ情報は、前記電子商取引ウェブサイトのＵＲＬ情報を含んでいることを特徴とする請求項１６記載の広告配信システム。
【請求項１８】
前記広告会社サーバは、前記ユーザー端末から前記電子商取引サイトを通じて入力される商品またはサービス購入情報と、前記ユーザー端末に対応する前記契約者属性データとを広告主サーバに送信する手段を有することを特徴とする請求項１６または１７に記載の広告配信システム。
【請求項１９】
前記広告会社サーバには、商品またはサービスの商品サンプル応募データが蓄積されてなるサンプル応募データベースが構築されてなり、前記ユーザー端末は、前記ユーザー端末で再生された広告コンテンツ情報に関連づけられている識別子に対応するサンプル応募データベースにアクセスしてサンプルを要求する手段を有し、前記広告会社サーバは、前記要求されたサンプルデータと前記ユーザー端末に対応する前記契約者属性データとを広告主サーバに送信する手段を有することを特徴とする請求項１乃至１８に記載の広告配信システム。
【請求項２０】
前記広告会社サーバには、商品またはサービスの割引クーポンデータが蓄積されてなる割引クーポンサイトデータベースが構築されてなり、前記ユーザー端末は、前記ユーザー端末で再生された広告コンテンツ情報に関連づけられている識別子に対応する割引クーポンデータベースにアクセスするアクセス手段と、前記割引クーポンデータを取得する手段を有することを特徴とする請求項１乃至１９のいずれかに記載の広告配信システム。
【請求項２１】
前記ユーザー端末において前記広告コンテンツ情報を蓄積する手段と、前記ユーザー端末において蓄積された広告コンテンツ情報を再生する手段と、前記広告コンテンツ情報再生後にアンケート結果情報を入力させるための入力表示情報を表示するアンケート結果情報入力誘導手段と、前記アンケート結果情報入力誘導手段により入力されたアンケート結果情報を前記広告会社サーバに伝達する手段は、前記ユーザー端末に格納されてなるアプリケーションソフトウェアにより動作することを特徴とする請求項１乃至２０のいずれかに記載の広告配信システム。
【請求項２２】
前記ユーザー端末において前記広告データベースにアクセスし前記広告データベースから広告コンテンツ情報をダウンロードする手段は、前記ユーザー端末に格納されてなるアプリケーションソフトウェアにより動作することを特徴とする請求項１、４乃至２１のいずれかに記載の広告配信システム。
【発明の詳細な説明】
【技術分野】
【０００１】
本発明は、ユーザーの購買行動を促進させるための広告コンテンツ情報を配信するシステムに関するものであり、特に、携帯電話、スマートフォン、パーソナルコンピュータ、タブレット型コンピュータ等の個人ユーザー向けの端末に、高い宣伝広告効果が発揮される広告コンテンツを配信するためのシステムに関するものである。
【背景技術】
【０００２】
従来から、電子メールを用いて広告コンテンツ情報を携帯端末に配信することは行われてきている。この広告コンテンツ情報の配信は、電子メール等の手段により、サーバから一斉に全てのユーザー端末に配信するものであった。この広告の提供の手法を、消費者側から見れば、本人の生活スタイルに関係なく広告コンテンツ情報が配信される結果、必ずしも趣味趣向に即した広告を受け取れないという現状があった。また、消費者が視聴したい時間帯に広告を視聴できるとはいえず、特に、消費者が地下鉄に乗っているときのように比較的広告を視聴しやすい状況であったとしても、ユーザー端末がオフライン状態であるために広告が取り寄せられないという問題があった。さらに、消費者にとって、広告を視聴することに対する強い動機付けは少ないという現状があった。
他方、広告主や広告コンテンツ製作者たる広告会社側からは、配信した広告の視聴率を向上させたいという要望がある。また、ユーザーが視聴したか否かを確認したり、配信した広告の効果を確認して、次回以降の広告製作や広告配信に役立てたいという要請がある。
さらに、広告コンテンツ情報をユーザー端末に伝達する通信ネットワークの提供者たる通信事業者や放送事業者からは、通信量の多い時間帯に一度に複数かつ大容量のデータが配信されることは回線の混雑を招くためできるだけ回避したく、反対に通信量の少ない時間帯に回線を利用させて一日の通信データ量の安定化を図ったり、終日、通信・放送ネットワークを利用させることにより、利用可能な周波数帯を安定的かつ最大限に利用させたいという要請がある。
【０００３】
特許文献１に開示されているのは、広告コンテンツ情報配信システムに関する技術であり、移動端末の位置登録情報及び基地局の配置場所情報を広告配信サーバに集め、ＰＯＳにおいて販売店における購買情報と時刻情報を修習して広告配信サーバへ送信することにより、端末保持者の位置情報、購買情報、時刻情報に基づいて広告配信をするシステムに関するものである。このシステムによれば、ユーザーの志向に即した情報を配信することはできるかもしれないが、上述した課題を解決するための広告配信システムとはいえない。また、特許文献２に開示されているのは、広告配信システムに関する技術であるが、携帯端末からＵＲＬが含まれている広告画像を受信し、広告画像からＵＲＬを抽出し、表示部や音声処理部に関連する情報を付加情報として再生し、抽出されたＵＲＬと、付加情報とによい広告配信装置からメディアデータを含む広告データを受信し、受信された広告データを表示するシステムに関するものである。このシステムによればＵＲＬから新たな情報を提供する広告配信システムは提供できるかもしれないが、上述した課題を解決するための広告配信システムとはいえない。
【特許文献１】特開２０１０−１４１５４５号公報
【特許文献２】特開２０１０−１７０４２６号公報
【発明の概要】
【発明が解決しようとする課題】
【０００４】
そこで、本願発明は、ユーザーが自己の端末で好きな時間に広告を視聴することができ、広告主や広告会社は視聴率や広告視聴後のユーザーの感想を知ることができ、通信事業者、放送事業者が安定的に通信・放送ネットワークを利用させることのできる広告配信システムを提供することを目的とする。
【課題を解決するための手段】
【０００５】
本発明の広告配信システムは、広告会社より提供される広告コンテンツ情報をユーザー端末に提供する広告配信システムであって、広告会社サーバと情報伝達可能な状態にある広告コンテンツ情報を蓄積する広告データベースと、通信ネットワークと、前記通信ネットワークに接続されてなるユーザー端末とを有し、前記ユーザー端末は前記広告データベースにアクセスし前記広告データベースから広告コンテンツ情報をダウンロードする手段と、前記広告コンテンツ情報を蓄積する手段と、蓄積された広告コンテンツ情報を再生する手段と、前記広告コンテンツ情報再生後にアンケート結果情報を入力させるための入力表示情報を表示するアンケート結果情報入力誘導手段と、前記アンケート結果情報入力誘導手段より入力されたアンケート結果情報、広告コンテンツ情報を特定する情報を前記広告会社サーバに伝達する手段を有し、前記広告会社データベースよりユーザー端末にダウンロードされた広告コンテンツ情報を前記ユーザー端末において再生し、広告コンテンツ情報再生後に入力されたアンケート結果情報を前記広告会社サーバへフィードバック送信することを特徴とする広告配信システム。
【０００６】
広告会社より提供される広告コンテンツ情報をユーザー端末に提供する広告配信システムであって、広告会社サーバと情報伝達可能な状態にある広告コンテンツ情報を蓄積する広告データベースと、通信ネットワークと、前記通信ネットワークに接続されてなるユーザー端末とを有し、前記広告会社サーバまたは通信会社サーバは前記広告データベースに蓄積された前記広告コンテンツ情報を、前記通信ネットワークを通じて前記ユーザー端末に配信する広告コンテンツ情報配信手段を有し、前記ユーザー端末は前記広告コンテンツ情報を蓄積する手段と、蓄積された広告コンテンツ情報を再生する手段と、前記広告コンテンツ情報再生後にアンケート結果情報を入力させるための入力表示情報を表示するアンケート結果情報入力誘導手段と、前記アンケート結果情報入力誘導手段より入力されたアンケート結果情報と、広告コンテンツ情報を特定する情報を前記広告会社サーバに伝達する手段を有し、
前記広告会社サーバより前記ユーザー端末に配信された広告コンテンツ情報を前記ユーザー端末において再生し、広告コンテンツ情報再生後に入力されたアンケート結果情報を広告会社サーバへフィードバック送信させることを特徴とする。
【０００７】
広告会社より提供される広告コンテンツ情報をユーザー端末に配信する広告配信システムであって、広告会社サーバと情報伝達可能な状態にある暗号化された広告コンテンツ情報を蓄積する広告データベースと、第１の通信ネットワークと、第２の通信ネットワークと前記第１および第２の通信ネットワークに接続されてなるユーザー端末とを有し、前記広告会社サーバまたは通信会社サーバは前記暗号化された広告コンテンツ情報を、前記第１の通信ネットワークを通じて前記ユーザー端末に配信する広告コンテンツ情報配信手段と、前記暗号化された広告コンテンツ情報を復元するための広告コンテンツ情報に対応する広告認証キーを、前記第２の通信ネットワークを通じて前記ユーザー端末に配信する広告認証キー配信手段を有し、
前記ユーザー端末は前記広告コンテンツ情報を蓄積する手段と、蓄積された前記広告ＩＤと前記広告認証キーを照合する広告認証キー照合手段と、前記広告認証キー照合手段により前記広告コンテンツ情報と前記広告認証キーが適合することを条件に前記広告コンテンツ情報を再生可能に復元する手段と、前記広告コンテンツ情報を再生する手段と、前記広告コンテンツ情報再生後にアンケート結果情報を入力させるためのアンケート結果入力情報を表示するアンケート結果情報入力誘導手段と、前記アンケート結果情報入力誘導手段より入力されたアンケート結果情報と、広告コンテンツ情報を特定する情報を広告会社サーバに伝達する手段を有し、前記広告会社よりユーザー端末に配信された広告コンテンツ情報をユーザー端末において再生し、広告コンテンツ情報再生後に入力されたアンケート結果情報を広告会社サーバへフィードバック送信させることを特徴とする。
【０００８】
前記第１の通信ネットワークは放送ネットワークであり、前記第２の通信ネットワークは双方向型通信ネットワークであることを特徴とする。
【０００９】
前記アンケート結果情報入力誘導手段は、広告コンテンツ情報再生後一定時間入力表示情報を表示する手段とし、広告コンテンツ情報再生後一定時間内にアンケート結果情報を入力可能としたことを特徴とする。
【００１０】
ユーザー端末には、所定日時または所定時に前記広告データベースにアクセスし前記広告データベースから広告コンテンツ情報をダウンロードする手段を動作させるアクセス日時制御手段が格納され、所定のアクセス日時またはアクセス時に前記ユーザー端末が広告データベースにアクセスすることを特徴とする。
【００１１】
前記広告コンテンツ情報配信手段は、所定日時または所定時に広告コンテンツ情報配信手段を動作させる配信日時制御手段を有し、前記配信日時制御手段により所定の配信日時または配信時に前記広告コンテンツ情報を前記ユーザー端末へ配信することを特徴とする。
【００１２】
前記広告会社サーバおよび／または通信会社サーバと情報伝達可能な状態にある契約者ＩＤに対応する課金テーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された前記契約者ＩＤの課金テーブルから割引料を減算する減算手段を有し、アンケート結果情報を送信したユーザー端末に対応する課金テーブルに課金される通信料から割引料を減額することを特徴とする。
【００１３】
前記広告会社サーバおよび／または通信会社サーバと情報伝達可能な状態にある契約者ＩＤに対応する課金テーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された回数を計測する計測手段と、所定期間あたりに照合された回数が所定回数未満であることを条件として、前記ユーザー端末と対応する契約者ＩＤに対応する課金テーブルへ所定の通信料を課金する課金手段を有し、アンケート結果情報をフィードバックした回数が所定回数に満たなかったユーザー端末に対応する課金テーブルに所定の通信料を課金することを特徴とする。
【００１４】
前記広告会社サーバおよび／または通信会社サーバと情報伝達可能な状態にある契約者ＩＤに対応する課金テーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された回数を計測する計測手段と、所定期間あたりに照合された回数が所定回数以上であることを条件として、所定の通信料から割引料を減算する減算手段と、前記ユーザー端末と対応する契約者ＩＤに対応する課金テーブルへ所定の通信料から割引料を減算した通信料を課金する課金手段を有し、アンケート結果情報をフィードバックした回数が所定回数に満たなかったユーザー端末に対応する課金テーブルに所定の通信料を課金する手段を有することを特徴とする。
【００１５】
契約者ＩＤに対応する前記課金テーブルおよび寄付金テーブルへの前記割引料の分配割合を設定する割合設定手段を有し、前記分配割合に応じた金額を、課金テーブルから減算するとともに前記分配割合に応じた金額を、寄付金テーブルへ加算することを特徴とする。
【００１６】
前記広告会社サーバおよび／または通信会社サーバと情報伝達可能にある契約者ＩＤに対応するポイントテーブルを有し、ユーザー端末よりアンケート結果情報がフィードバック送信されたこと確認する確認手段と、前記アンケート結果情報を送信したユーザーを識別するユーザー端末番号またはユーザーＩＤと契約者ＩＤとを照合する契約者照合手段と、前記契約者照合手段により照合された前記契約者ＩＤのポイントテーブルにポイントを加算する手段を有し、アンケート結果情報を送信したユーザー端末に対応するポイントテーブルに所定のポイントを加算することを特徴とする。
【００１７】
前記広告会社サーバおよび／または通信会社サーバと情報伝達可能な前記契約者ＩＤに対応するポイントテーブルを有し、ユーザー端末よりアンケート結果情報がフィードバック送信されたこと確認する確認手段と、前記アンケート結果情報を送信したユーザー端末番号またはユーザーＩＤと契約者ＩＤとを照合する契約者照合手段と、前記契約者照合手段により照合された回数を計測する計測手段と、所定期間あたりに照合された回数が所定回数以上であることを条件として、アンケート結果情報を送信したユーザー端末に対応するポイントテーブルに所定のポイントを加算することを特徴とする。
【００１８】
前記広告会社サーバおよび／または通信会社サーバと情報伝達可能な契約者属性データが蓄積されてなる契約者属性データベースを有し、前記広告コンテンツ情報に関連づけられる配信希望属性データと契約者属性データベースに蓄積された契約者属性データとを照合するユーザー属性照合手段を有し、前記通信会社サーバは前記ユーザー属性照合手段により前記配信希望属性データと前記契約者属性データが一致した者のユーザー端末に広告コンテンツ情報を配信することを特徴とする。
【００１９】
前記広告会社サーバは、アンケート結果情報を蓄積するマーケティングデータベースを有し、ユーザー端末より伝達されたアンケート結果情報を受信するアンケート結果情報受信手段と、受信した前記アンケート結果情報を選択肢毎に点数に換算するアンケート結果演算手段と、前記アンケート結果演算手段により点数化されたアンケート結果情報と前記広告コンテンツ情報を特定する広告ＩＤを関連づけて蓄積する手段を有することを特徴とする。
【００２０】
前記広告会社サーバには、商品またはサービスの詳細情報・購入情報を含む電子商取引サイトデータが蓄積されてなる電子商取引サイトデータベースが構築されてなり、前記ユーザー端末は、前記ユーザー端末で再生された広告コンテンツ情報に関連づけられている識別子に対応する電子商取引ウェブサイトにアクセスするアクセス手段を有することを特徴とする。
【００２１】
前記広告コンテンツ情報は、前記電子商取引ウェブサイトのＵＲＬ情報を含んでいることを特徴とする。
【００２２】
前記広告会社サーバは、前記ユーザー端末から前記電子商取引サイトを通じて入力される商品またはサービス購入情報と、前記ユーザー端末に対応する前記契約者属性データとを広告主サーバに送信する手段を有することを特徴とする。
【００２３】
前記広告会社サーバには、商品またはサービスの商品サンプル応募データが蓄積されてなるサンプル応募データベースが構築されてなり、前記ユーザー端末は、前記ユーザー端末で再生された広告コンテンツ情報に関連づけられている識別子に対応するサンプル応募データベースにアクセスしてサンプルを要求する手段を有し、前記広告会社サーバは、前記要求されたサンプルデータと前記ユーザー端末に対応する前記契約者属性データとを広告主サーバに送信する手段を有することを特徴とする。
【００２４】
前記広告会社サーバには、商品またはサービスの割引クーポンデータが蓄積されてなる割引クーポンサイトデータベースが構築されてなり、前記ユーザー端末は、前記ユーザー端末で再生された広告コンテンツ情報に関連づけられている識別子に対応する割引クーポンデータベースにアクセスするアクセス手段と、前記割引クーポンデータを取得する手段を有することを特徴とする。
【００２５】
前記ユーザー端末において前記広告コンテンツ情報を蓄積する手段と、前記ユーザー端末において蓄積された広告コンテンツ情報を再生する手段と、前記広告コンテンツ情報再生後にアンケート結果情報を入力させるための入力表示情報を表示するアンケート結果情報入力誘導手段と、前記アンケート結果情報入力誘導手段により入力されたアンケート結果情報を前記広告会社サーバに伝達する手段は、前記ユーザー端末に格納されてなるアプリケーションソフトウェアにより動作することを特徴とする。
【００２６】
前記ユーザー端末において前記広告データベースにアクセスし前記広告データベースから広告コンテンツ情報をダウンロードする手段は、前記ユーザー端末に格納されてなるアプリケーションソフトウェアにより動作することを特徴とする。
【発明の効果】
【００２７】
上述の如き、本発明の広告配信システムによれば、広告会社は広告配信対象のユーザーを絞りこんで的確な広告配信ができるとともに、ユーザーが実際に配信した広告を視聴したかどうかの確認と、ユーザーによるアンケート結果情報を得ることができる。また配信会社、放送事業者等の通信事業者は、ネットワークの空いている時間帯を有効に活用することができる。さらにユーザーは広告を視聴することにより自己が支払うはずの通信料を減額させることができ、ユーザーへ広告視聴へ動機付けを与えることができる。
【図面の簡単な説明】
【００２８】
【図１】本発明の第１の実施の形態を示す広告配信システムの全体模式図である。
【図２】本発明の第１の実施の形態の広告配信システムにおける広告配信に関するフローチャートである。
【図３】本発明の第１の実施の形態の広告配信システムにおける課金に関するフローチャートである。
【図４】本発明の第１の実施の形態の広告配信システムにおける広告視聴アンケート結果を蓄積および解析するマーケティングに関するフローチャートである。
【図５】本発明の第２の実施の形態を示す広告配信システムの全体模式図である。
【図６】本発明の第２の実施の形態の広告配信システムにおける広告放送に関するフローチャートである。
【図７】本発明の第２の実施の形態の広告配信システムにおける課金に関するフローチャートである。
【図８】本発明の第２の実施の形態の広告配信システムにおけるマーケティングに関するフローチャートである。
【図９】本発明の第４の実施の形態の広告配信システムの全体模式図である。
【図１０】本発明の第４の実施の形態の広告配信システムにおけるＥＣサイトフローチャートである。
【図１１】本発明の第４の実施の形態の広告配信システムにおけるＥＣサイト課金フローチャートである。
【図１２】本発明の第４の実施の形態の広告配信システムの変形例を示す全体模式図である。
【図１３】本発明の広告配信システムの照合手段における照合テーブルの例である。
【図１４】本発明のユーザー端末６のモニターに表示される画面の例である。
【図１５】本発明の広告配信システムの他の態様のシステム全体模式図である。
【図１６】本発明の第３の実施の形態の広告配信システムの全体模式図である。
【発明を実施するための形態】
【００２９】
本願発明の実施の形態を図に即して説明する。本願発明は、広告会社より提供される広告を通信事業者のネットワークを通じてユーザー端末６に提供し、これをユーザー端末６で再生させて、視聴確認を兼ねた視聴アンケート結果情報を広告会社へフィードバックさせるシステムである。
【００３０】
（第１の実施の形態）
本願発明の第１の実施の形態は、広告コンテンツ情報が通信事業者、回線事業者等の通信会社の提供する双方向型ネットワークと呼ばれる通信ネットワーク５を利用して、ユーザー端末６に配信される態様の広告配信システム１である。広告配信システム１は、広告会社に設置される広告会社サーバ２およびこれに接続される機器、通信会社に設置される通信会社サーバ３およびこれに接続される通信機器、広告の視聴者たるユーザーが保有するユーザー端末６と通信会社サーバ３とユーザー端末６を繋ぐ、通信手段で構成された通信ネットワーク５等で構成される。広告コンテンツ情報は、広告会社サーバ２に接続されているデータベースに蓄積され広告会社サーバ２より、通信ネットワーク５を通じてユーザー端末６に配信され、ユーザー端末６に蓄積される。ユーザー端末６に蓄積された広告コンテンツ情報は、ユーザー端末６の再生入力信号に基づいてモニター上に再生される。その後、アンケート結果情報の入力を誘導する手段により、アンケート入力表示情報が表示される。アンケート結果情報が入力されると、このアンケート結果情報が通信ネットワーク５を通じて広告会社サーバ２にフィードバック送信されマーケティングデータベース２２に蓄積される。また、アンケート結果情報提供に対する特典として通信会社がユーザーに課金する回線利用料としての通信料が減額されるようになっている。
【００３１】
（システム構成）
広告会社サーバ２は、ＣＰＵ等の演算装置、ＲＡＭ等の記憶装置、情報を伝達する伝達装置、情報を受信する受信装置を備えている。広告会社サーバ２と情報伝達可能な状態に、広告主や広告製作会社から提供される広告コンテンツ情報が蓄積される広告データベース２１が構築されている。この広告データベース２１に蓄積される広告コンテンツ情報は、広告、コマーシャル、コマーシャルメッセージ（ＣＭ）とも呼ばれる、商品やサービスの広告宣伝コンテンツを内容とする文字データ、図画データ、動画データ、音声データ、動画データと音声データが一体化されたイメージデータ等からなり、配信先のユーザー端末６において再生可能な広告コンテンツ情報である。本実施の形態においては、広告コンテンツ情報は、数秒〜数分程度の動画・音声コンテンツである。この広告コンテンツ情報には、広告コンテンツ情報を特定するための広告コンテンツ情報毎に異なる広告ＩＤが付与されている。
【００３２】
また、広告会社サーバ２には、ユーザー端末６から伝達される広告コンテンツ情報のアンケート結果情報を蓄積するマーケティングデータベース２２が構築されている。このマーケティングデータベース２２には、ユーザー端末６から送られるアンケート結果情報が随時蓄積されるようになっている。
【００３３】
広告会社サーバ２には、広告データベース２１より広告コンテンツ情報を抽出する抽出手段、広告コンテンツ情報を所定の配信日時に配信するための配信日時を制御する配信日時制御手段が構築されている。また、広告会社サーバ２あるいは広告会社サーバ２と通信会社サーバ３の双方に接続されている契約者属性データベースにアクセスし、広告コンテンツ情報に対するマッチング条件により契約者属性データを抽出し、広告コンテンツ情報に対応するマッチング条件に一致するユーザーＩＤに対応するユーザー端末６を特定し当該ユーザー端末６を配信先に設定する手段を構築してもよい。これらの手段はＣＰＵの制御により動作するようになっている。尚、配信希望属性データの条件は広告主サーバ９より提供される条件であってもよいし、図１５に示すウェブサイト２４上からユーザー自身により選択される条件でもよい。
【００３４】
また、広告会社サーバ２には、ユーザー端末６から送られるアンケート結果情報を受信する受信手段と、アンケート結果情報の選択肢を点数化する手段が構築されＣＰＵの制御により動作するようになっている。例えば、アンケート入力情報の選択肢が「○」「△」「×」の場合には、アンケート結果情報を受信した広告会社サーバ２のＣＰＵは、広告ＩＤ毎に「○」「△」「×」の個数を蓄積し、分析手段は上記選択肢の個数を所定の変換式に基づいて点数に変換し（例えば「○」＝１０ポイント、「△」＝５ポイント、「×」＝１ポイント）広告ＩＤに対応する広告コンテンツ情報や広告コンテンツ情報のタイトルをポイントの大きいものから小さいものへ順位付けする等のマーケティング分析を行う。また、この順位付けの結果を一覧化する手段、この一覧をウェブサイト２４に掲載する手段を構築してよいし、広告主がそれぞれの端末からＩＤとパスワードを入力して、マーケティングデータベース２２にアクセスすることでこの一覧を閲覧可能としてもよい。また、広告会社サーバ２のＣＰＵは、分析手段によりマーケティングデータベース２２を分析し、配信する広告コンテンツ情報に対応する契約者属性データへのマッチング条件を外したり、条件を付加するようにしてもよい。例えば、ある商品の広告である広告Ａ１を視聴したユーザー群にのみ、広告Ａ１の続編である広告Ａ２を配信するというさらなる条件を付加するようにプログラムを構築してもよいし、あるサービスの広告である広告Ａ３について「○」のアンケート結果を入力したユーザー群にのみ、広告Ａ３の長編版の広告Ａ４を配信するというさらなる条件を付加するプログラムを構築してもよい。
【００３５】
次に通信会社サーバ３について説明する。通信会社サーバ３は、少なくともプロバイダ機能を有し広告会社サーバ２から提供される広告コンテンツ情報を、通信ネットワーク５を通じてユーザー端末６に配信する手段を有している。
【００３６】
また、通信会社サーバ３には、通信会社がユーザーより徴収する通信料データを蓄積する通信料課金データベース３１が情報伝達可能に構築されており契約者ＩＤ毎に課金テーブルが構築されている。通信会社サーバ３には、ユーザーＩＤに対応する課金テーブルに対して、従来通り、通信時間や通信データ量に応じて通信料（通信ネットワーク利用料）の算出と課金を行う課金手段に、ユーザー端末６からのアンケート結果情報のフィードバック送信があったことを条件として、割引料を算出する手段と通信料から割引料を減算する手段を付加し、課金手段は、通信料から割引料を減算した額を、課金テーブルに課金するようになっている。
【００３７】
また、通信料から割引料を減算することに替えて、ポイント加算データベース（不図示）を設け、割引料を商品やサービスの購買ポイントとして利用可能なポイントに換算するシステムとする場合には、契約者ＩＤに対応するポイントテーブルを設け、ユーザー端末６からのアンケート結果情報のフィードバック送信があったことを条件として、所定の特典ポイントを算出する手段と、ユーザーＩＤに対応する契約者ＩＤのポイントテーブルに対して特典ポイントを加算する演算を行う手段が付加されている。また、後述のＥＣサイトフローで述べるように、この特典ポイントは、商品の購入代金に充当することができるようになっており、ユーザーからの利用ポイント値の入力に応じて特典ポイントを減算する演算を行う手段も付加されている。
【００３８】
また、この実施例において、上述のように広告会社サーバ２あるいは通信会社サーバ３から接続可能な状態にある、通信サービス契約時やユーザー登録時等にユーザーから提供される年齢、性別、居住地等ユーザーに関する種々の属性情報である契約者属性データが蓄積される契約者属性データベース３２は、通信会社サーバ側に構築されているが、契約者属性データベース３２と、通信料課金データベース３１、ポイント加算データベースを何処に設けるかの選択は自由であり広告会社サーバ２側に設けてもよい。同時に、配信日時制御手段、照合手段、配信手段を何処に設けるかの選択は自由であり通信会社サーバ３側に構築してもよいし、広告会社サーバ２側に構築してもよい。
【００３９】
通信ネットワーク５は、通信事業者、回線事業者等の通信会社が提供している既存の通信ネットワークであって、各地域に設置されている基地局および中継局と、ユーザー端末６との間で通信をするアンテナ局とからなり、IEEE 802.11方式またはIMT-2000方式あるいは、その他の通信方式を用いて、配信対象であるユーザー端末６を特定するユーザーＩＤ（例えばアドレスや端末番号）よりユーザー端末６を検索し、該当するユーザー端末６に広告会社サーバ３より提供される広告コンテンツ情報を配信するようになっている。
【００４０】
次にユーザー端末６について説明する。ユーザー端末６は、スマートフォン等に代表される携帯電話端末６１、タブレット型パーソナルコンピュータ６２、携帯型ゲーム端末６３、パーソナルコンピュータ６４等の通信ネットワーク５と無線または有線により接続されてなる通信端末であり、ユーザー端末６を動作させるＣＰＵ、通信ネットワーク５を介して通信をする通信手段、配信された広告コンテンツ情報やプログラムを記憶する記憶手段、広告コンテンツ情報等を表示するモニター、アンケート結果情報を入力するキーボードやタッチパネル等の入力手段を備えてなる装置である。ユーザー端末６には、端末毎にユーザー端末６を特定するユーザー端末番号が付与されていて、この識別子に基づいて広告コンテンツ情報の配信がなされる。
【００４１】
ユーザー端末６には、広告コンテンツ情報配信の前段階において配信される広告コンテンツ情報を視聴させるためのアプリケーションソフトウェアがダウンロードされる。このアプリケーションソフトウェアは、通信ネットワーク５を通じて、広告コンテンツ情報が配信されるとこれを受信しメモリに蓄積させる受信手段、再生入力アイコン（ボタン）が押されることを入力信号として広告コンテンツ情報をモニター上に再生する再生手段、広告コンテンツ情報再生後から時間計測を開始し設定時間までアンケート結果情報を入力させる入力表示情報としての選択画像情報を表示させるアンケート入力誘導手段、設定時間内にアンケート結果情報の入力があったとき、受信再生した広告コンテンツを示す広告ＩＤとアンケート結果情報とユーザーＩＤを広告会社サーバ２と通信会社サーバ３へフィードバック送信する送信手段と、ユーザー端末６のモニターに表示されるアプリケーションソフトウェア起動アイコン（ボタン）画像情報、再生起動アイコン（ボタン）画像情報、アンケート入力情報を入力させる例えば「○」「△」「×」や「好き」「普通」「嫌い」、「良い」「ふつう」「悪い」等の選択画像情報を含み、これらのアイコンが制御動作スタートボタンとして機能するようになっている。
【００４２】
選択画像情報から「○」「△」「×」の画像表示部分をタッチ入力されることにより、送信手段が起動し、選んだ記号を示すアンケート結果情報が通信データ化され（例えば「○」は００、「△」は０１、「×」は１１の記号とする。）ユーザーＩＤ、広告ＩＤと関連づけて広告会社サーバおよび通信会社サーバに送信される。尚、アンケート入力情報の内容は他の選択入力画面や、好感度数値をテンキーにより（例えば、１〜５の数値）入力させるように誘導する内容であってもよい。
【００４３】
また、この実施例の変形例として、アンケート入力情報を入力させる選択画像情報はアプリケーションソフトウェアをユーザー端末６にダウンロードさせておくのではなく、選択画像情報を広告コンテンツ情報に繋がる一体のコンテンツ情報として広告データベースに蓄積し、これをユーザー端末６に配信し蓄積させるようにしてもよい。
【００４４】
このシステム１に用いられるユーザー端末番号、このシステム１に加入するときにユーザーに付与されるユーザーＩＤ、通信会社や放送会社が契約者を特定するための契約者ＩＤは互いに紐付けることが可能になっており、いずれのＩＤからも個人を特定することができるようになっている。これらのユーザー端末番号、契約者ＩＤ、ユーザーＩＤは同じ識別子であってもよいし、異なる識別子を紐付ける手段により紐付けるようにしてもよい。
【００４５】
（制御フロー）
広告配信システム１の制御動作について、図２〜図４に示すフローチャートを参照して説明する。広告配信システム１の制御動作は、広告会社サーバ２により広告データベース２１に蓄積された広告コンテンツ情報が、通信会社の通信ネットワーク５を通じて広告コンテンツ情報をユーザー端末６に配信される広告配信フローと、ユーザー端末６よりアンケート結果情報が入力されたことをスタートとして通信会社がユーザーに課金する通信料が減額される課金フローと、ユーザー端末６よりアンケート結果情報が入力されたことをスタートとしてアンケート結果情報をマーケティングデータベースに蓄積するとともに分析するマーケティングフローとで構成されている。
【００４６】
図２に基づいて、広告配信フローを説明する。時計装置と連動する配信日時制御手段により、配信時刻（例えば、時計装置が午前４時を計測したとき）に配信動作が開始する（Ｓ１）。広告会社サーバ２あるいは通信会社サーバ３に設けられた照合手段により、配信するべき広告コンテンツと関連づけられている配信希望属性データと契約者属性データベース３２に蓄積されている契約者属性データを照合し、照合条件が一致するユーザーＩＤを抽出し、該ユーザーＩＤに対応するユーザー端末６に広告コンテンツを配信する（Ｓ２）。例えば、図１３の照合テーブルに示すように、配信希望属者属性データに対応する条件と、ユーザー毎に蓄積されている契約者属性データの要素との一致不一致が照合され、条件１〜Ｘを満たすユーザーＩＤを抽出し、ユーザー端末６を特定する。通信会社サーバ３は、通信ネットワーク５を通じてユーザーＩＤ（００１）に対応するユーザー端末６に広告コンテンツ情報を配信する。
【００４７】
ユーザー端末６は、広告会社サーバ２より提供され通信ネットワーク５を通じて配信された広告コンテンツ情報を受信手段により受信し、ユーザー端末６のメモリに蓄積する（Ｓ３）。再生起動（ボタン）のタッチ入力をスタート信号として（Ｓ４）、ユーザー端末６のメモリに蓄積されている広告コンテンツ情報は、ユーザー端末６のモニター上に再生される（Ｓ５）。アンケート結果情報入力誘導手段は、広告コンテンツ情報の再生終了の信号をスタートとして設定時間（例えば５秒間）の計測を開始し、設定時間の間モニター上に選択画像情報（例えば「○」「△」「×」）を表示する。この選択画像情報が表示されている間に「○」「△」「×」いずれかの選択の入力がされた場合（Ｓ６）、ユーザー端末６の通信手段は、アンケート結果情報と、ユーザーＩＤ、視聴された広告コンテンツを示す広告ＩＤを広告会社サーバ２にフィードバック送信する。また、課金手段が通信会社サーバ３側にあるときには、アンケート結果情報が入力されたことを示す情報としてユーザー端末番号またはユーザーＩＤを通信会社サーバ３にフィードバック送信するようになっている（Ｓ７）。尚、選択画像情報が表示されている間にアンケート結果情報の入力がされない場合には、画像表示は終了しアンケート結果情報は入力不可となる。また、一度アンケート結果情報が入力された広告コンテンツ情報に対応する選択画像情報は再度表示されないように制御プログラムを組んでもよい。
【００４８】
尚、この広告配信フローにおいて、広告コンテンツ情報の配信日時または配信時刻は任意に設定することができるが、望ましくは通信ネットワーク５の空いている時間帯（例えば、真夜中〜明け方）に配信するプログラムが組まれる。これにより通信ネットワーク５の利用のピーク時間帯を避けて通信を行うことができ、通信ネットワークへ多大な通信データ容量の負荷をかけるおそれがなく、通信ネットワーク５を終日有効活用できるからである。
【００４９】
次に図３に基づいて、通信会社サーバ３によるユーザーへの通信料の課金フローについて説明する。広告配信フローにおいて、ユーザー端末６より通信会社サーバ３にアンケート結果情報が入力されたことを示すユーザー端末番号またはユーザーＩＤが送信されると、通信会社サーバ３はこのデータを受信する（Ｓ１）。このデータ受信があった場合には、ユーザー端末番号またはユーザーＩＤと契約者ＩＤの照合が行われ（Ｓ２）、対応する契約者ＩＤの課金テーブルから設定された減算率に基づく割引額が減算される（Ｓ３）。例えば、アンケート結果情報の提供１回につき、１０円減額との減算率が定められている場合には、ユーザー端末６からデータを受信する毎に対応する契約者ＩＤの課金テーブルに対してマイナス１０円の減算処理がなされる。つまり、ユーザー端末番号またはユーザーＩＤと契約者ＩＤの照合毎に課金額の減算処理が繰り返される。尚、課金手段が広告会社サーバ２側にある場合には広告会社サーバ２においてこの課金フローが動作する。
【００５０】
また、上述した図３に示す課金フローに替えてあるいは課金フローに加えてポイント加算フローを設けた場合の通信会社サーバ３によるユーザーへのポイント加算のフローについて説明する。広告配信フローにおいて、ユーザー端末６より通信会社サーバ３にアンケート結果情報が入力されたことを示すユーザー端末番号またはユーザーＩＤが送信されると、通信会社サーバ３はこのデータを受信する。このデータ受信があった場合には、ユーザー端末番号またはユーザーＩＤと契約者ＩＤの照合が行われ、ユーザーＩＤに対応する契約者ＩＤのポイントテーブルに設定されたポイント数が加算される。例えば、アンケート結果情報の提供１回につき、１ポイント加算との加算率が定められている場合には、ユーザー端末６からデータを受信する毎に対応する契約者ＩＤのポイントテーブルに対してプラス１ポイントの加算処理がなされる。つまり、ユーザーＩＤと契約者ＩＤの照合毎にポイントの加算処理が繰り返される。尚、ポイント加算手段が広告会社サーバ２側にある場合には広告会社サーバ２においてこのポイント加算フローが動作する。
【００５１】
次に図４に基づいて、マーケティングフローについて説明する。ユーザー端末６より広告会社サーバ２に、アンケート結果情報とユーザーＩＤが伝達されると、広告会社サーバ２はこのデータを受信する（Ｓ１）。広告会社サーバ２のＣＰＵは、照合手段によりと広告ＩＤとアンケート結果情報、ユーザーＩＤ等の受信データを照合手段により照合する（Ｓ２）。そして広告ＩＤに関連づけてアンケート結果情報の選択肢（システム１の場合は、「○」「△」「×」）の数をマーケティングデータベースに蓄積する（Ｓ３）。この選択肢の数を点数換算率により点数化する（Ｓ４）。広告ＩＤ毎の点数により広告コンテンツ情報を順位付けする（Ｓ５）。順位付けの結果を一覧化して広告ランキングデータベースに蓄積して、ウェブサイト上に公開し（Ｓ６）、広告主サーバ９あるいは、ユーザー端末６等から閲覧可能とする。
【００５２】
上述の如く、広告配信システム１が広告配信フロー、課金フロー、マーケティングフローを動作させることにより、広告会社は、ユーザーのターゲットを絞って広告配信をできるとともに、広告を視聴したユーザーが実際に広告を視聴したか確認することができるとともに、ユーザー自身が入力する正確なアンケート結果情報を得ることができる。また通信会社は、ネットワークの空いている時間帯を有効に利用することができる。さらにユーザーは、広告を視聴することにより、自己の通信会社に支払う通信料を減額させることができるためユーザーへの広告視聴への動機付けを得ることができる。
【００５３】
（第２の実施の形態）
次に本願発明の第２の実施の形態である広告配信システム１１について説明する。この広告配信システム１１は、広告コンテンツ情報をユーザー端末６に提供する配信手段が、放送ネットワークである点において第１の実施の形態と相違する。
【００５４】
すなわち、広告会社サーバ２より提供される広告コンテンツ情報が、放送ネットワーク８を通じてユーザー端末６に配信され、ユーザー端末６に蓄積され、これと並行して、広告会社サーバ２より提供される広告コンテンツ情報を復元する広告データ認証キーが通信ネットワーク５を通じてユーザー端末６に配信される。広告コンテンツ情報を特定する広告ＩＤと広告データ認証キーが一致することを条件として、広告コンテンツ情報がユーザー端末６において再生可能に復元される。ユーザー端末６への再生入力により広告コンテンツ情報が再生され、アンケート結果情報入力誘導手段によりアンケート入力情報としての選択画像表示が表示される。アンケート結果情報が入力されると、このアンケート結果情報が通信ネットワーク５を通じて広告会社サーバ２にフィードバック送信されマーケティングデータベース２２に蓄積される。また、アンケート結果情報のフィードバック送信があったことを示すユーザーＩＤが放送事業者サーバ７に伝達されるとユーザーＩＤに対応するユーザーの課金テーブルに放送事業者が課金する通信料（放送ネットワーク利用料）が減免されようになっている。
【００５５】
（システム構成）
広告配信システム１１は、広告会社に設置される広告会社サーバ２およびこれに接続される機器、通信会社サーバの一態様である放送事業者サーバ７およびこれに接続される機器、通信会社サーバ３およびこれに接続される機器、広告の視聴者たるユーザーが保有するユーザー端末６と、放送事業者サーバ７とユーザー端末６を繋ぐ、放送手段で構成された放送ネットワーク８（第１の通信ネットワーク）、通信会社サーバ３とユーザー端末６を繋ぐ、通信手段で構成された双方向通信型の通信ネットワーク５（第２の通信ネットワーク）とで構成される。尚、この実施例では、通信会社サーバ３と放送事業者サーバ７を個別に設けたがこれ等を共通のサーバとし、放送ネットワーク８と通信ネットワーク５の双方に接続するようにしてもよい。
【００５６】
広告会社サーバ２は、ＣＰＵ等の演算装置、ＲＡＭ等の記憶装置、情報を伝達する伝達装置、情報を受信する受信装置を備えている。広告会社サーバ２と情報伝達可能な状態に、広告依頼主や広告製作会社から提供される広告コンテンツ情報が蓄積される広告データベース２１が構築されている。この広告データベース２１に蓄積される広告コンテンツ情報は、コマーシャル、コマーシャルメッセージ（ＣＭ）とも呼ばれる、商品やサービスの広告宣伝コンテンツを内容とする文字データ、図画データ、動画データ、音声データ、動画データと音声データが一体化されたイメージデータ等であり、これらの広告コンテンツ情報は暗号化され広告放送ダウンロードファイル形式で蓄積されている。この広告放送ダウンロードファイルは、広告データ認証キーが適合されることにより再生可能な広告コンテンツ情報として復元されるようになっている。本実施の形態においては、広告コンテンツ情報は、数秒〜数分程度の動画・音声コンテンツである。この広告放送ダウンロードファイルには、広告コンテンツ情報を特定するための広告コンテンツ情報毎に異なる広告ＩＤが付与されている。
【００５７】
広告会社サーバ２には、広告会社サーバ２と情報伝達可能な状態に、後述する視聴者からの広告コンテンツ情報のアンケート結果情報を蓄積するマーケティングデータベースが蓄積されている。このマーケティングデータベースには、ユーザー端末６から送られるアンケート結果情報が随時蓄積されて、必要に応じて広告会社サーバ２においてアンケート結果情報の各種分析が可能な状態になっている。蓄積されるアンケート結果情報と、分析手段の構成は広告配信システム１と同様であるので詳細な説明を省略する。
【００５８】
広告会社サーバ２には、広告コンテンツ情報を所定の配信日時に配信するための配信日時を制御する配信日時制御手段、広告データベース２１より広告コンテンツ情報を抽出する抽出手段、暗号化されている広告放送ダウンロードファイルを復元させるための広告データ認証キーを作成する広告認証キー作成手段が構築されている。
【００５９】
広告会社サーバ２または通信会社サーバ３には、ユーザーから提供される年齢、性別、居住地等ユーザーに関する種々の情報である契約者属性が蓄積される契約者属性データベース３２が構築されている、また広告会社サーバ２または通信会社サーバ３は、契約者属性データベース３２と情報伝達可能な状態にあり、配信希望者属性データと契約者属性データを照合する照合手段、配信希望者属性データの条件に一致するユーザーＩＤに対応するユーザー端末６を特定し、特定されたユーザー端末６に広告会社サーバ２から伝達された広告認証キーの配信をする配信手段が構築されている。
【００６０】
通信会社サーバ３には、通信会社がユーザーより徴収する通信料(通信ネットワーク利用料）に関するデータを蓄積する通信料課金データベース３１が情報伝達可能に構築されており契約者ＩＤ毎に課金テーブルが構築されている。尚、通信料の課金手段は広告配信システム１と同様であるため、詳細な説明は省略する。
【００６１】
放送事業者サーバ７は、広告コンテンツ情報を、放送ネットワーク８すなわち放送波により通信する放送手段を備えている。放送ネットワーク８としては、例えば、ＵＨＦ帯の特定の周波数帯域を利用した放送手段等が挙げられる。具体的には、ＩＳＤＢ−Ｔ式、ＤＶＢ−Ｈ式、Ｔ−ＤＭＢ式などのマルチメディア放送の方式が知られている。
【００６２】
また、放送事業者サーバ７には、放送事業者がユーザーより徴収する通信料（放送ネットワーク利用料）課金データを蓄積する放送料課金データベース７１が放送事業者サーバ７と情報伝達可能に構築されており契約者ＩＤ毎に課金テーブルが構築されている。放送事業者サーバ７は、契約者ＩＤに対応する課金テーブルに対して、従来通りに特定期間単位の放送料の課金を行う。また、広告配信システム１１においてユーザー端末６からのアンケート結果情報のフィードバック送信があったことを条件として通信料（放送ネットワーク利用料）の減額を行うようになっている。
【００６３】
尚、契約者属性データベース３２、７２と、通信料課金データベース３１、放送料課金データベース７１を何処に設けるかの選択は自由である。同時に、配信日時制御手段、照合手段を何処に設けるかの選択は自由であり広告会社サーバ２側、通信会社サーバ３側に構築してもよい。
【００６４】
ユーザー端末６は、スマートフォン等に代表される携帯電話端末６１、タブレット型パーソナルコンピュータ６２、携帯型ゲーム端末６３、パーソナルコンピュータ６４等の通信ネットワーク５と無線または有線により接続されてなる通信端末であり、放送波を受信できる機能を備えている。ユーザー端末６を動作させるＣＰＵ、通信ネットワーク５を介して広告認証キーを受信し、アンケート結果情報を送信する通信手段、放送波を通じて配信される広告コンテンツ情報を受信する放送波受信手段、配信された広告コンテンツ情報や手段を記憶する記憶手段、広告コンテンツ情報を表示するモニター、アンケート結果情報を入力するキーボードやタッチパネル板等の入力手段を備えてなる。
【００６５】
ユーザー端末６には、広告コンテンツ情報配信の前段階において、広告コンテンツ情報を視聴させるためのアプリケーションソフトウェアがダウンロードされる。このアプリケーションソフトウェアは、放送ネットワーク８を通じて広告放送ダウンロードファイルが配信されるとこれを受信しメモリに蓄積させる受信手段、広告認証キーが通信ネットワーク５を通じて配信されると広告認証キーと広告ＩＤを適合させる適合手段、広告認証キーと広告ＩＤの適合を条件として広告放送ダウンロードファイルより広告コンテンツ情報を復元する復元手段、再生入力アイコン（ボタン）が押されることにより広告コンテンツ情報をモニター上に再生する再生手段、広告コンテンツ情報再生後から時間計測を開始し設定時間までアンケート結果情報を入力させるための選択画像情報を表示させるアンケート入力誘導手段、設定時間内にアンケート結果情報の入力があったとき、受信再生した広告コンテンツを示すユーザーＩＤとアンケート結果情報とユーザーＩＤを広告会社サーバ２と放送事業者サーバ７へフィードバック送信させる送信手段と、ユーザー端末６のモニターに表示されるアプリケーションソフトウェア起動アイコン（ボタン）画像情報、再生起動アイコン（ボタン）画像情報、アンケート入力情報を入力させる例えば「○」「△」「×」等の選択画像情報を含み、これらのアイコンが制御動作スタートボタンとして機能するようになっている。
【００６６】
また、この実施例の変形例として、アンケート入力情報を入力させる選択画像情報はアプリケーションソフトウェアをユーザー端末６にダウンロードさせておくのではなく、選択画像情報を広告コンテンツ情報に繋がる一体のコンテンツ情報として広告データベースに蓄積し、これをユーザー端末６に配信し蓄積させるようにしてもよい。
【００６７】
（制御フロー）
広告配信システム１１の制御動作について、図６〜図８のフローチャートを参照して説明する。広告配信システム１１の制御動作は、広告会社サーバにより広告データベースに蓄積された広告放送ダウンロードファイルが、放送ネットワーク８を通じてユーザー端末６に配信されるとともに、通信会社の通信ネットワーク５を通じて暗号化された広告コンテンツ情報を再生させるための広告データ認証キーが配信され、広告コンテンツ情報がユーザー端末６において再生されるとともに、ユーザー端末６より入力されたアンケート結果情報を広告会社サーバ２にフィードバック送信させる広告放送フローと、広告配信後にユーザー端末６よりアンケート結果情報の入力を示すユーザー端末番号またはユーザーＩＤを受信したことをスタートとして、放送事業者がユーザーの課金テーブルに課金する放送料を減免する課金フローと、ユーザー端末６より広告会社サーバ２にアンケート結果情報が伝達されるとアンケート結果情報をマーケティングデータベース２２に蓄積するとともに分析するマーケティングフローとで構成されている。尚、これらのフローに加えて通信会社サーバがユーザーに課金する通信料が減額される通信会社とユーザー間の課金フローを構築してもよいが、この課金フローは、広告配信システム１における課金フローと同様であるため詳細な説明を省略する。また、第１の実施の形態の如く、ポイント加算フローを備えてもよい。
【００６８】
図６に基づいて、広告放送フローを説明する。配信日時制御手段により、配信時刻（例えば、時計装置が午前４時を計測したとき）配信動作が開始する（Ｓ１）。広告データベース２１より提供される暗号化された広告放送ダウンロードファイルは、放送ネットワーク８を通じて放送波によりユーザー端末６に配信される（Ｓ２）。広告放送ダウンロードファイルはユーザー端末６のメモリに蓄積される（Ｓ３）。
【００６９】
これと並行して、広告会社サーバ２は、広告ＩＤに対応する広告データ認証キーを作成し、年齢、性別等の配信希望属性データとともに、通信会社サーバ３へ配信する（Ｓ４）。通信会社サーバ３に設けられた照合手段は、広告コンテンツ情報に付与されている配信希望属性データと契約者属性データベース３２に蓄積されている契約者属性データを照合し配信希望属性データと契約者属性データの一致する者のユーザーＩＤを抽出する（Ｓ５）。通信会社サーバ３は、通信ネットワーク５を通じて該ユーザーＩＤに対応するユーザー端末６に広告データ認証キーを配信する（Ｓ６）。
【００７０】
ユーザー端末６は、広告データ認証キーとユーザー端末６にダウンロードされた広告放送ダウンロードファイルの広告ＩＤとの適合を行う（Ｓ７）。適合結果が一致することを条件として、広告放送ダウンロードファイルの広告コンテンツ情報は再生可能に復元される（Ｓ８）。一方適合結果が不一致である場合には、広告コンテンツ情報のファイルは復元されないか、あるいはユーザー端末６のメモリから削除されるようになっている。
【００７１】
再生起動（ボタン）のタッチ入力をスタート信号として（Ｓ９）、ユーザー端末６のメモリに蓄積されている広告コンテンツ情報は、ユーザー端末６のモニター上に再生される（Ｓ１０）。広告コンテンツ情報の再生終了の信号をスタートしてアンケート結果情報入力誘導手段は、設定時間（例えば５秒間）の計測を開始し、設定時間モニター上には選択画像情報（例えば「○」「△」「×」）が表示される。この選択画像情報が表示されている間に「○」「△」「×」いずれかの選択の入力がされた場合（Ｓ１１）、ユーザー端末６の通信手段は、アンケート結果情報と、ユーザーＩＤ、視聴された広告コンテンツを示す広告ＩＤを広告会社サーバ２にフィードバック送信する。またアンケート結果情報が入力されたことを示す情報として少なくともユーザーＩＤを通信会社サーバ３にフィードバック送信するようになっている（Ｓ１２）。尚、選択画像情報が表示されている間にアンケート結果情報の入力がされない場合には、画像表示は終了しアンケート結果情報は入力不可となる。また、一度アンケート結果情報が入力された広告コンテンツ情報に対応する選択画像情報は再度表示されないように制御プログラムを組んでもよい。
【００７２】
尚、広告配信フローにおいて、所望の配信日時を決定することができるが、一般には放送番組のない時間帯（例えば、真夜中〜明け方）であることが望ましい。これにより放送事業者は、放送休止時間帯の放送ネットワーク８を利用させることができ、放送波を終日有効活用できるからである。
【００７３】
次に図７に基づいて、放送事業者によるユーザーへの通信料（放送ネットワーク利用料）の課金フローについて説明する。広告配信フローにおいて、ユーザー端末６より放送事業者サーバ７にアンケート結果情報が入力されたことを示すデータとしてのユーザーＩＤが、フィードバック送信されると、放送事業者サーバ７ではこのデータを受信し（Ｓ１）、ユーザー端末番号またはユーザーＩＤと契約者ＩＤの照合が行われる（Ｓ２）。ユーザーＩＤまたはユーザー端末番号に対応する契約者ＩＤが一致する度に受信回数が計測され、カウント数が放送料課金データベース７１に蓄積される（Ｓ３）。通信料の課金日が到来すると（システム１１の場合は次月に入ると）（Ｓ４）、放送事業者サーバ７は、放送料課金データベース７１より、単位期間あたり（実施例の場合は前月）の契約者ＩＤに対する受信回数を算出し、単位期間あたりの受信回数が、基準回数（実施例の場合は６０回）を超えるか否かを算出する（Ｓ５）。受信回数が基準回数未満（ＹＥＳ）の場合には、通信料（実施例の場合には３１５円）が契約者ＩＤの放送料課金テーブルに課金される（Ｓ６）。受信回数が基準回数を超える場合（ＮＯ）には、契約者ＩＤの放送料課金テーブルに課金はなされず、受信回数がカウントクリアされる（Ｓ７）。このように、アンケート結果情報のフィードバックの回数に応じて通信料が免除されるようになっている。尚、このフローにおいて、受信回数が基準回数を超える場合（ＮＯ）に、課金額を減額する手段にしてもよい。
【００７４】
また、放送事業者による通信料課金フローに替えてあるいは付加してポイント加算フローを設けてもよい。ポイント加算フローは、ユーザー端末６より放送事業者サーバ７にアンケート結果情報が入力されたことを示すデータとしてのユーザーＩＤが、フィードバック送信されると、放送事業者サーバ７ではこのデータを受信し、ユーザー端末番号またはユーザーＩＤと契約者ＩＤの照合が行われる。ユーザーＩＤに対応する契約者ＩＤが一致する度に受信回数が計測され、カウント数が放送料課金データベース７１に蓄積される。通信料の課金日が到来すると（システム１１の場合は次月に入ると）、放送事業者サーバ７は、単位期間あたり（実施例の場合は前月）の契約者ＩＤに対する受信回数を算出し、単位期間あたりの受信回数が、基準回数（実施例の場合は６０回）を超えるか否かを算出する。受信回数が基準回数を超える場合には、所定のポイント（例えば１０ポイント）が契約者ＩＤのポイントテーブルに加算されるようになっている。
【００７５】
（第３の実施の形態）
次に図１６に基づいて本願発明の第３の実施の形態の広告配信システム１２について説明する。この広告配信システム１２は、ユーザー端末６に格納されたアプリケーションプログラムが、広告データベース２１にアクセスして広告コンテンツ情報をダウンロードすることにより、広告コンテンツ情報が配信される点において第１の実施の形態と相違する。
【００７６】
広告配信システム１２は、広告会社に設置される広告会社サーバ２およびこれに接続される機器、通信会社に設置される通信会社サーバ３およびこれに接続される通信機器、広告の視聴者たるユーザーが保有するユーザー端末６と通信会社サーバ３とユーザー端末６を繋ぐ、通信手段で構成された通信ネットワーク５等で構成される。広告コンテンツ情報は、広告会社サーバ２に接続されているデータベースに蓄積される。ユーザー端末６は、この広告データベース２１にアクセスし、ダウンロードされた広告コンテンツ情報は、ユーザー端末６に蓄積される。ユーザー端末６に蓄積された広告コンテンツ情報は、ユーザー端末６の再生入力信号に基づいてモニター上に再生される。
【００７７】
その後、アンケート結果情報の入力を誘導する手段により、アンケート入力表示情報が表示される。アンケート結果情報が入力されると、このアンケート結果情報が通信ネットワーク５を通じて広告会社サーバ２にフィードバック送信されマーケティングデータベース２２に蓄積される。また、アンケート結果情報提供に対する特典として通信会社がユーザーに課金する回線利用料としての通信料が減額されるようになっている。
【００７８】
（システム構成）
広告会社サーバ２は、ＣＰＵ等の演算装置、ＲＡＭ等の記憶装置、情報を伝達する伝達装置、情報を受信する情報受信装置を備えている。広告会社サーバ２と情報伝達可能な状態に、広告主や広告製作会社から提供される広告コンテンツ情報が蓄積される広告データベース２１が構築されている。この広告データベース２１に蓄積される広告コンテンツ情報は、広告、コマーシャル、コマーシャルメッセージ（ＣＭ）とも呼ばれる、商品やサービスの広告宣伝コンテンツを内容とする文字データ、図画データ、動画データ、音声データ、動画データと音声データが一体化されたイメージデータ等からなり、ユーザー端末６において再生可能な広告コンテンツ情報である。本実施の形態においては、広告コンテンツ情報は、数秒〜数分程度の動画・音声コンテンツである。この広告コンテンツ情報には、広告コンテンツ情報を特定するための広告コンテンツ情報毎に異なる広告ＩＤが付与されている。
【００７９】
広告会社サーバ２には、広告会社サーバ２と情報伝達可能な状態のユーザー端末６から伝達される広告コンテンツ情報のアンケート結果情報を蓄積するマーケティングデータベース２２が構築されている。このマーケティングデータベース２２には、ユーザー端末６から送られるアンケート結果情報が随時蓄積されるようになっている。
【００８０】
広告会社サーバ２には、ユーザー端末６からのアクセスに応じて広告コンテンツ情報を配信する配信手段が構築されている。また、契約者属性データベースにアクセスし、広告コンテンツ情報に対するマッチング条件により契約者属性データを抽出し、広告コンテンツ情報に対応するマッチング条件に一致するユーザーＩＤに対応するユーザー端末６に対し、マッチング条件に応じたダウロード可能な広告コンテンツ情報を抽出するようにしてもよい。尚、配信希望属性データの条件は広告主サーバ９より提供される条件であってもよいし、図１５に示すウェブサイト２４上からユーザー自身により選択される条件でもよい。
【００８１】
次にユーザー端末６について説明する。ユーザー端末６は、スマートフォン等に代表される携帯電話端末６１、タブレット型パーソナルコンピュータ６２、携帯型ゲーム端末６３、パーソナルコンピュータ６４等の通信ネットワーク５と無線または有線により接続されてなる通信端末であり、ユーザー端末６を動作させるＣＰＵ、通信ネットワーク５を介して通信をする通信手段、配信された広告コンテンツ情報やプログラムを記憶する記憶手段、広告コンテンツ情報等を表示するモニター、アンケート結果情報を入力するキーボードやタッチパネル等の入力手段を備えてなる装置である。ユーザー端末６には、端末毎にユーザー端末６を特定するユーザー端末番号とユーザーＩＤ（例えばメールアドレスや端末番号）が付与されていて、この識別子に基づいて広告コンテンツ情報の配信がなされる。
【００８２】
ユーザー端末６には、広告コンテンツ情報配信の前段階において配信される、広告コンテンツデータベース２１にアクセスする手段、かつ、広告コンテンツ情報を視聴させる手段を備えたアプリケーションソフトウェアが格納される。このアプリケーションソフトウェアの、広告コンテンツデータベース２１にアクセスする手段は、広告コンテンツデータベース２１にアクセスするための入力があったときにあらかじめアプリケーションプログラムに組み込まれたＵＲＬ等の広告コンテンツデータベース２１へのアクセス情報により広告データベース２１へアクセスして広告会社サーバ２と通信可能とするものである。また、アプリケーションプログラムにアクセス日時制御手段を組み込めば、これがユーザー端末６の時計装置と連動することにより、所定の日時になったことを入力信号として広告データベース２１にアクセスさせるようにすることもできる。このようにすれば、ユーザー端末６が自動的に広告会社サーバ２１にアクセスして、広告コンテンツ情報を取りにいくことができる。
【００８３】
広告コンテンツ情報を視聴させる手段は、ユーザー端末６からのアクセスにより、広告会社サーバ２から広告コンテンツ情報が配信されるとこれを受信しメモリに蓄積させる受信手段、再生入力アイコン（ボタン）が押されることにより広告コンテンツ情報をモニター上に再生する再生手段、広告コンテンツ情報再生後から時間計測を開始し設定時間までアンケート結果情報を入力させる入力表示情報としての選択画像情報を表示させるアンケート入力誘導手段、設定時間内にアンケート結果情報の入力があったとき、受信再生した広告コンテンツを示す広告ＩＤとアンケート結果情報とユーザーＩＤを広告会社サーバ２と通信会社サーバ３へフィードバック送信させる送信手段と、ユーザー端末６のモニターに表示されるアプリケーションソフトウェア起動アイコン（ボタン）画像情報、再生起動アイコン（ボタン）画像情報、アンケート入力情報を入力させる例えば「○」「△」「×」や「好き」「普通」「嫌い」等の選択画像情報を含み、これらのアイコンが制御動作スタートボタンとして機能するようになっている。
【００８４】
選択画像情報から「○」「△」「×」の画像表示部分をタッチ入力することにより、送信手段が起動し、選んだ記号を示すアンケート結果情報が通信データ化され（例えば「○」は００、「△」は０１、「×」は１１の記号とする。）ユーザーＩＤと関連づけて広告会社サーバおよび通信会社サーバに送信される。尚、アンケート入力情報の内容は他の選択入力画面や、好感度数値をテンキーにより（例えば、１〜５の数値）入力させるように誘導する内容であってもよい。
【００８５】
また、この実施例の変形例として、アンケート入力情報を入力させる選択画像情報はアプリケーションソフトウェアをユーザー端末６にダウンロードさせておくのではなく、選択画像情報を広告コンテンツ情報に繋がる一体のコンテンツ情報として広告データベースに蓄積し、これをユーザー端末６に配信し蓄積させるようにしてもよい。
【００８６】
（制御フロー）
広告配信システム１２の制御動作について説明する。広告配信システム１２の制御動作は、広告会社サーバ２により広告データベース２１に蓄積された広告コンテンツ情報が、ユーザー端末６のアクセスにより通信会社の通信ネットワーク５を通じて広告コンテンツ情報をユーザー端末６に配信される広告配信フローと、ユーザー端末６よりアンケート結果情報が入力されたことをスタートとして通信会社がユーザーに課金する通信料が減額される課金フローと、ユーザー端末６よりアンケート結果情報が入力されたことをスタートとしてアンケート結果情報をマーケティングデータベースに蓄積するとともに分析するマーケティングフローとで構成されている。
【００８７】
広告配信フローを説明するアクセス日時制御手段により、アクセス時刻（例えば、ユーザー端末６内蔵の時計装置が午前４時を計測したとき）ユーザー６のアプリケーションプログラムは広告データベース２１へのアクセス動作を開始し、広告会社サーバ２の広告コンテンツデータベース２１にアクセスすると広告会社サーバ２の通信手段は、通信ネットワーク５を通じてユーザー端末６に広告コンテンツ情報を配信する。
【００８８】
ユーザー端末６は、通信ネットワーク５を通じてダウンロードされた広告コンテンツ情報を受信手段により受信し、ユーザー端末６のメモリに蓄積する、再生起動（ボタン）のタッチ入力をスタート信号として、ユーザー端末６のメモリに蓄積されている広告コンテンツ情報は、ユーザー端末６のモニター上に再生される。広告コンテンツ情報の再生終了の信号をスタートとしてアンケート結果情報入力誘導手段は、設定時間（例えば５秒間）の計測を開始し、設定時間の間モニター上には選択画像情報（例えば「○」「△」「×」）が表示される。この選択画像情報が表示されている間に「○」「△」「×」いずれかの選択の入力がされた場合、ユーザー端末６の通信手段は、アンケート結果情報と、ユーザーＩＤ、視聴された広告コンテンツを示す広告ＩＤを広告会社サーバ２にフィードバック送信する。また、課金手段が通信会社サーバ３側にあるときには、アンケート結果情報が入力されたことを示す情報として少なくともユーザーＩＤを通信会社サーバ３にフィードバック送信するようになっている。尚、選択画像情報が表示されている間にアンケート結果情報の入力がされない場合には、画像表示は終了しアンケート結果情報は入力不可となる。また、一度アンケート結果情報が入力された広告コンテンツ情報に対応する選択画像情報は再度表示されないように制御プログラムを組んでもよい。
【００８９】
尚、この広告配信フローにおいて、広告コンテンツ情報の取得日時、取得時刻は任意に設定することができるが、望ましくは通信ネットワーク５の空いている時間帯（例えば、真夜中〜明け方）に配信するプログラムが組まれる。これにより通信ネットワーク５のピーク時間帯を避けた通信を行うことができ、通信データ容量オーバーを防ぎ、通信ネットワーク５を終日有効活用できるからである。課金フロー、マーケティングフローは第１の実施の形態の広告配信システム１と同様であるためその説明を省略する。
【００９０】
（第４の実施の形態）
本発明の第４の実施の形態の広告配信システム１２について、図９〜図１１に基づいて説明する。第４の実施の形態は、第１の実施の形態のシステム１に広告コンテンツ情報に対応する商品やサービスの詳細情報や・購入情報が示されている電子商取引サイト（electronic commerceサイト（以下、ＥＣサイト））をユーザー端末６に表示し、該商品を購入させるための購買誘導システムが付加された広告配信システムである。
【００９１】
広告会社サーバ２には、広告コンテンツ情報が蓄積されてなる広告データベース、マーケティングデータが蓄積されるマーケティングデータベースに加えて、広告コンテンツ情報毎に付与される、あるいはＵＲＬに関連づけられたＥＣサイトデータが蓄積されてなるＥＣデータベースが構築されている。広告データベースに蓄積される広告コンテンツ情報は、広告コンテンツ情報に対応するＥＣサイトにアクセスさせるためのＵＲＬ情報を含んでいる。
【００９２】
広告会社サーバ２には、ユーザー端末６からのアクセスに応じて、ユーザー端末６のモニター上にＵＲＬに紐付けられたＥＣサイトを表示させる手段が構築されている。また、ユーザー端末６からＥＣサイトを介して送信される購入情報の受信に伴ってこの購入情報と契約者属性データベース３２にアクセスしてユーザーＩＤに対応する契約者属性データを取得しこれらを関連づけて広告主サーバ９へ送信する手段と、ユーザー端末６から送信される購入情報の受信に伴ってユーザＩＤと購入代金情報を通信会社サーバ３へ送信する手段が構築されている。さらには、後述する通信会社サーバ３において課金テーブルに入金された商品購入代金に対し所定額（広告会社マージン）を差し引いた額を広告主サーバ９へ送信する手段を構築してもよい。
【００９３】
通信会社サーバ３には、従来通り、通信時間や通信データ量に応じて課金システムによる通信料の算出と蓄積を行うとともに、ユーザー端末６からのアンケート結果情報の提供に対する特典として、対応する契約者ＩＤの課金テーブル３１に対して通信料の算出（減額）の算出と蓄積を行う課金手段に加えて、広告会社サーバ２から送信される商品購入情報と、契約者情報に基づいて対応する契約者ＩＤの課金テーブル３１に対して商品購入情報に基づく代金額を課金する手段が構築されている。さらには、課金テーブル３１に課金した商品購入代金に対して所定額（通信会社マージン）を差し引いた額を広告会社サーバ２へ送信する手段を構築してもよい。
【００９４】
また、上記代金額を課金する手段に加えて、第１の実施の形態で述べた特典ポイントを代金に充当することもできるようにしてもよい。ユーザー端末６のモニター上にＵＲＬに紐付けられたＥＣサイトを表示させる手段は、ユーザーＩＤおよびユーザー端末番号またはユーザーＩＤと紐付けられているポイントテーブルの表示時のポイント値と、商品毎に設定されている購買可能なポイント値と利用ポイント値の入力欄を表示するようになっている。ここで、ユーザーが利用ポイント値を入力すると、この入力に対応してポイントテーブルでは、ポイントの減算が、ＥＣデータベースでは購買処理が行われるようになっている。また、課金データベースの課金手段に、クレジットカードによる課金手段を付加してもよい。ユーザー端末６のモニター上にＵＲＬに紐付けられたＥＣサイトを表示させる手段は、ＥＣサイト上にクレジットカード番号入力欄とクレジットカード有効期限入力欄、必要に応じてセキュアコード入力欄を表示するようになっている。ユーザーがクレジットカード番号、有効期限、セキュアコードを入力されると、サーバ側はこの当該情報と代金額を紐付けてクレジットカード会社サーバ（不図示）へ送信するようになっている。
【００９５】
ユーザー端末６について説明する。ユーザー端末６は、スマートフォン等に代表される携帯電話端末６１、タブレット型パーソナルコンピュータ６２、携帯型ゲーム端末６３、パーソナルコンピュータ６４等の通信ネットワーク５と無線または有線により接続されてなる通信端末であり、ユーザー端末６を動作させるＣＰＵ、通信ネットワーク５を介して通信をする通信手段、配信された広告コンテンツ情報や手段を記憶する記憶手段、広告コンテンツ情報を表示するモニター、アンケート結果情報を入力するキーボードやタッチパネル等の入力手段を備えてなり、広告会社サーバ２との間で通信会社サーバ３が提供する通信ネットワーク５を通じてインタラクテヴ通信を行う端末である。
【００９６】
ユーザー端末６には、広告コンテンツ情報配信の前段階において、ユーザー端末６には、配信される広告コンテンツ情報を視聴させるためのアプリケーションソフトウェアがダウンロードされる。このアプリケーションソフトウェアは、通信ネットワーク５を通じて、受信手段、再生手段、アンケート入力誘導手段、送信手段等からなる手段群とユーザー端末６のモニターに表示されるアイコン（ボタン）画像情報、アンケート入力情報を入力させる選択画像情報を含んでいる。また、上記手段に加えて、広告コンテンツ情報再生後あるいは、アンケート結果情報入力後に、広告コンテンツ情報に対応するＥＣサイトにアクセスさせるための購買誘導表示データを表示させる購買誘導表示手段と広告誘導表示画像情報を含んでいる。さらにＥＣサイトをモニター上に表示させるためのブラウザソフトウェアがダウンロードされている。
【００９７】
アイコン（ボタン）画像情報は再生手段のスタートボタンであり、このアイコンからのタッチ入力信号をスタート信号として、再生手段が起動して広告コンテンツ情報が再生されるようになっている。ユーザー端末６において広告コンテンツ情報の再生終了の信号をスタート信号として、ユーザー端末６内蔵の時計装置と連動するアンケート入力誘導手段が起動し選択画像情報が所定時間モニターに表示されるようになっている。選択画像情報からアンケート結果情報の入力信号をスタート信号として、送信手段が起動し、選んだ記号を示すアンケート結果情報は、ユーザーＩＤと関連づけられてユーザー端末６の通信手段により通信ネットワーク５を通じて広告会社サーバ２に送信される。同様に、ユーザーＩＤが通信会社サーバ３に送信されるようになっている。
【００９８】
また、広告コンテンツ情報再生終了あるいは、アンケート結果情報入力をスタート信号として、購買誘導表示手段が起動し、モニターにＥＣサイトに誘導させるための購買誘導表示データ（例えば「商品の詳細をみる」「商品情報を見る（購入も可））が表示されるようになっている。この購買誘導表示データを選択することで、広告コンテンツ情報に含まれたＵＲＬが自動的に入力送信されるようになっており、モニター上に再生された広告コンテンツ情報に関連するＥＣサイトにアクセスがなされ、モニター上には、ブラウザを介して広告コンテンツ情報に対応する商品またはサービスのＥＣサイトが表示されるようになっている。またユーザー端末６は、ＥＣサイトを介して商品またはサービスの購入ができるようになっている。
【００９９】
広告配信システム１２の制御動作について、図１０〜図１１に示すフローチャートを参照して商品またはサービスのＥＣサイトへ誘導させるＥＣサイトフロー（ＥＣサイトフロー）と、ＥＣサイトフローにおいて商品またはサービスの購入がなされた場合のＥＣサイト課金フロー（ＥＣサイト課金フロー）について説明する。尚、購買誘導表示データが表示されるまでのフローは、広告配信システム１と同様であるため詳細な説明を省略する。
【０１００】
ユーザー端末６において、広告コンテンツ情報再生終了あるいは、アンケート結果情報入力をスタート信号として、購買誘導表示手段が起動し、モニターに商品購入サイトに誘導させるための購買誘導表示データ（例えば「商品の詳細をみる」などの画面）が表示される。この購買誘導表示データをタッチ入力することにより（Ｓ１）、広告コンテンツ情報に含まれているＵＲＬが自動的入力送信されてＵＲＬに対応するＥＣサイトにアクセスがなされ、広告コンテンツ情報に対応する商品またはサービスのＥＣサイトがモニター上に表示される（Ｓ２）。ここでユーザー端末６より、商品購入アイコンをタッチすることにより商品購入情報が入力されると（Ｓ３）、この商品購入情報とユーザーＩＤは広告会社サーバ２に送信される（Ｓ４）。ここで商品購入情報とは、注文個数等を含む購入意思を示す情報である。広告会社サーバ２がユーザー端末６より、商品購入情報を受信すると、通信会社サーバ３等にあらかじめ蓄積されている契約者属性データベースより商品の発送に必要な契約者情報が抽出され、これらの情報はＥＣデータベースに蓄積される（Ｓ５）。広告会社サーバ３は商品購入情報と契約者情報を広告主端末９に送信する（Ｓ６）これを基に広告主は、発送処理をするようになっている（Ｓ７）。
【０１０１】
次にＥＣサイト課金フローについて説明する。ＥＣサイトフローにおいて、広告会社サーバ２が商品購入情報およびユーザーＩＤを受信すると商品購入情報およびユーザーＩＤをＥＣデータベースに蓄積する動作と並行して、通信会社サーバ３へ、商品購入情報および契約者情報を送信する（Ｓ１）。通信会社サーバ３は、契約者情報を基に契約者ＩＤに対応する課金テーブルに、商品購入情報に基づいて算出される購入代金を課金する（Ｓ２）。さらに、通信会社サーバ３は、商品代金に課金された金額から通信会社マージンを差し引く処理を行い得られた金額を広告会社サーバ２に送信、または代金を広告会社課金テーブルに入金するようにしてもよい（Ｓ３）。広告会社サーバ２は通信会社サーバ２から送信された金額から広告会社マージンを差し引く処理を行い得られた金額を広告主サーバ９に送信、または代金を広告主課金テーブルに入金するようにしてもよい（Ｓ４）。
【０１０２】
また、広告配信システム１２の変形例としては、図１２に示すように放送事業者が提供する放送ネットワーク８を用いた広告配信システム１１にＥＣサイトフローとＥＣサイト課金フローを付加したシステムがある。この場合、広告コンテンツ情報の配信フローは、広告配信システム１１と同様であり。ＥＣサイトフローにおいては、契約者情報を取得する契約者属性データベースを放送事業者サーバ７の契約者属性データベース７２に設定することができる点が上述のＥＣサイトフローとは異なる。ＥＣサイト課金フローは広告配信システム１２と同様であるため詳細な説明を省略する。
【０１０３】
このように、商品またはサービスのＥＣサイトへの誘導と、商品購入後の課金フローを構築することにより、広告コンテンツ情報の配信から商品の購入、購入代金の課金までを一連のシステムとして動作させることができる。そして、通信会社サーバ３あるいは放送事業者サーバ７が保有する契約者属性データベースを商品購入と発送に必要な契約者情報のデータベースとして利用することができユーザー端末６から新たに個人情報を入力させることなく購買・発送処理を行うことができる。
【０１０４】
（第５の実施の形態）
次に、本発明の第５の実施の形態の広告配信システムについて、図１５に基づいて説明する。第５の実施の形態は、第１〜第３の実施における通信料あるいは放送料等の回線利用料の課金フローにおいて、ユーザーがあらかじめ設定した割引料の分配割合に応じて、課金テーブルからの割引料の割引と寄付テーブルへの寄付がなされる手段を付加したシステムである。
【０１０５】
ユーザーは、契約者属性データ登録時、あるいは任意に、ウェブサイト２４等を介して将来の割引料の分配割合の設定を行うことができるようになっている。この個々のユーザーが設定する分配割合は、広告会社サーバ２の契約者属性データベース２５にユーザーＩＤと紐付けられて記憶される。例えば、１回の割引料に対し、その分配割合を５：５と設定すれば、割引料１０円のうち５円はユーザーの課金テーブルから減算され、５円が寄付金テーブルに加算されるという仕組みになっている。
【０１０６】
この分配割合設定手段が付加された課金フローを、上述した通信による広告配信フローを例に説明すれば、ユーザー端末６より通信会社サーバ３にアンケート結果情報が入力されたことを示すユーザーＩＤが送信されると、このデータを受信する。このデータ受信があった場合には、ユーザーＩＤと契約者ＩＤの照合が行われ、ユーザーＩＤに対応する分配割合を契約者属性データベース２５に問い合わせる。この分配割合に基づいて、割引料と寄付金の額が算出され割引料のうちの一定の額が、ユーザーＩＤに対応する契約者ＩＤの課金テーブルから減算される。またユーザーＩＤに対応する分配割合に基づいて割引料のうちの一定の額が寄付金テーブル（不図示）に加算される。例えば、アンケート結果情報の提供１回につき、１０円減額との割引料が定められており、分配割合を５：５と設定している場合には、ユーザー端末６からデータを受信すると割引料の振り分けの計算がなされて対応する契約者ＩＤの課金テーブルに対してマイナス５円の減算処理と寄付金テーブルにプラス５円の加算処理がなされる。尚、図１５に示す如く、課金手段が広告会社サーバ２側にある場合には広告会社サーバ２においてこの課金フローが動作する。上述した分配割合は任意に設定することができ、１００％を課金テーブルからの割引料とすることもできるし、１００％を寄付金テーブルに加算することもできる。尚、寄付金テーブルに貯まった額は、その都度、あるいは一定期間毎に所定の口座に寄付され、災害支援や社会福祉等に貢献することができるようになっている。
【０１０７】
また第４の実施の形態の変形例として、この分配割合設定手段が付加された課金フローを、上述した放送による広告配信フローを例に説明すれば、ユーザー端末６より放送事業者サーバ７にアンケート結果情報が入力されたことを示すデータとしてのユーザーＩＤが、フィードバック送信されると、放送事業者サーバ７はこのデータを受信し、ユーザーＩＤと契約者ＩＤの照合が行われる。ユーザーＩＤに対応する契約者ＩＤが一致する度に受信回数が計測され、カウント数が放送料課金データベース７１に蓄積される。放送料の課金日が到来すると（例えば、次月に入ると）、放送事業者サーバ７は、通信料課金データベース７１より、単位期間あたり（実施例の場合は前月）の契約者ＩＤに対する受信回数を算出し、単位期間あたりの受信回数が、基準回数（実施例の場合は６０回）を超えるか否かを算出する。受信回数が基準回数未満の場合には、放送料（実施例の場合には３１５円）が契約者ＩＤの放送料課金テーブルに課金される。受信回数が基準回数を超える場合には、ユーザーＩＤと契約者ＩＤの照合が行われ、ユーザーＩＤに対応する分配割合に基づいて、割引料のうちの一定の額が課金テーブルから減算され、一定の額が寄付金テーブルに加算され、受信回数がカウントクリアされる。例えば、分配割合が０：１０に設定されている場合は、放送料３１５円が寄付金テーブルに加算される。尚、図１５に示す如く、課金手段が広告会社サーバ２側にある場合には広告会社サーバ２においてこの課金フローが動作する。上述した分配割合は任意に設定することができ、１００％を課金テーブルからの割引料とすることもできる。尚、寄付金テーブルに貯まった額は、その都度、あるいは一定期間毎に所定の口座に寄付され、災害支援や社会福祉等に貢献することができるようになっている。
【０１０８】
（第６の実施の形態）
次に、本発明の第６の実施の形態の広告配信システムについて、図１５に基づいて説明する。第６の実施の形態は、第１、第２の実施においてアンケート結果情報をフィードバック送信したことを条件として、ユーザーにサンプル品を提供することができる手段を付加したシステムである。
【０１０９】
第６の実施の形態において、広告会社サーバには、広告コンテンツ情報に対応するサンプル応募データがサンプル応募データベース２６に蓄積されている。広告データベース２１に蓄積される広告コンテンツ情報は、広告コンテンツ情報に対応するサンプル応募データにアクセスさせるためのサンプル応募表示データを含んでいる。また、ユーザー端末６には、広告コンテンツ情報と共に、サンプル応募表示データが配信され、ユーザー端末６に蓄積される。上述の第１、第２の実施の形態のフローにしたがって広告コンテンツ情報が配信され、ユーザー端末６において再生されると、広告コンテンツ情報の再生終了の信号をスタートしてアンケート結果情報入力誘導手段は、設定時間（例えば５秒間）の計測を開始し、設定時間モニター上には選択画像情報（例えば「○」「△」「×」）が表示される。この選択画像情報が表示されている間に「○」「△」「×」いずれかの選択の入力がされた場合、ユーザー端末６の通信手段は、アンケート結果情報と、ユーザーＩＤ、視聴された広告コンテンツを示す広告ＩＤを広告会社サーバ２にフィードバック送信する。
【０１１０】
その後、第６の実施の形態においては、モニター上には、アプリケーションで設定されているフォーマットにしたがって、サンプル応募表示データとしての「商品サンプルをもらう先着○○名」等という表示がされる、この表示を選択すると、サンプル応募画面が表示され、この応募画面を通じて、ユーザー端末６は、サンプル応募データベースにアクセスし、広告コンテンツ情報に対応する識別子の付与されたサンプル品の要求ができるようになっている。サンプル品の要求が入力されると、広告会社サーバ２は契約者属性データベース２５から契約者属性データと、要求されたサンプル品の識別データを紐付けて広告主サーバ９に伝達するようになっている。これを受信した広告主は、契約者属性データに基づいてサンプル品を発送することができる。
【０１１１】
（第７の実施の形態）
次に、本発明の第７の実施の形態の広告配信システムについて、図１５に基づいて説明する。第７の実施の形態は、第１、第２の実施の形態の広告配信システムに、広告コンテンツの視聴を条件として、ユーザー端末６に割引クーポンをダウンロードすることができる手段を付加したシステムである。
【０１１２】
第７の実施の形態において、広告会社サーバ２には、広告コンテンツ情報に対応するクーポンデータがクーポンデータベースに蓄積されている。広告データベースに蓄積される広告コンテンツ情報は、広告コンテンツ情報に対応するクーポンデータにアクセスさせるためのクーポン取得表示データを含んでいる。また、ユーザー端末６には、広告コンテンツ情報と共に、クーポン取得表示データが配信され、ユーザー端末６に蓄積される。上述の第１、第２の実施の形態のフローにしたがって広告コンテンツ情報が配信され、ユーザー端末６において再生されると、広告コンテンツ情報の再生終了の信号をスタートしてアンケート結果情報入力誘導手段は、設定時間（例えば５秒間）の計測を開始し、設定時間モニター上には選択画像情報（例えば「○」「△」「×」）が表示される。この選択画像情報が表示されている間に「○」「△」「×」いずれかの選択の入力がされた場合、ユーザー端末６の通信手段は、アンケート結果情報と、ユーザーＩＤ、視聴された広告コンテンツを示す広告ＩＤを広告会社サーバ２にフィードバック送信する。
【０１１３】
その後、第７の実施の形態においては、モニター上には、アプリケーションで設定されているフォーマットにしたがって、クーポン表示データとしての「この企業のクーポンをもらう」等という表示がされる、この表示を選択すると、クーポン取得画面が表示され、この取得画面を通じて、ユーザー端末６は、クーポンデータベースにアクセスされ、広告コンテンツ情報に対応する識別子の付与されたクーポンデータを取得できるようになっている。クーポンデータの取得は、その都度データベースにアクセスしてモニター上に表示させるようにしてもよいし、クーポンデータベースからクーポンデータをダウンロードしてユーザー端末６に保存するようにしてもよい。
【０１１４】
（第８の実施の形態）
次に、本発明の第８の実施の形態の広告配信システムについて、図１５に基づいて説明する。第８の実施の形態は、第１、第２の実施の形態の広告配信システムに、アンケート結果情報のフィードバック送信を条件として、ユーザＩＤに対応するポイントテーブルにサービスポイントを加算する手段を付加したシステムである。第７の実施の形態においては、図１、２で述べた選択式のアンケート結果情報に加え、更に詳細なアンケート設問に対するクイックアンケート結果情報をフィードバック送信した場合を例に説明する。
【０１１５】
第８の実施の形態において、広告会社サーバ２には、広告コンテンツ情報に対応するクイックアンケート入力誘導データがクイックアンケート入力誘導データベースに蓄積されている。広告データベースに蓄積される広告コンテンツ情報は、クイックアンケート入力誘導データを含んでいる。また、ユーザー端末６には、広告コンテンツ情報と共に、クイックアンケート入力誘導データが配信され、ユーザー端末６に蓄積される。上述の第１、第２の実施の形態のフローにしたがって広告コンテンツ情報が配信され、ユーザー端末６において再生されると、広告コンテンツ情報の再生終了の信号をスタートしてアンケート結果情報入力誘導手段は、設定時間（例えば５秒間）の計測を開始し、設定時間モニター上には選択画像情報（例えば「○」「△」「×」）が表示される。この選択画像情報が表示されている間に「○」「△」「×」いずれかの選択の入力がされた場合、ユーザー端末６の通信手段は、アンケート結果情報と、ユーザーＩＤ、視聴された広告コンテンツを示す広告ＩＤを広告会社サーバ２にフィードバック送信する。
【０１１６】
その後、第８の実施の形態においては、モニター上には、さらに詳しいアンケートに回答させるべくクイックアンケート入力誘導データとしての「クイックアンケートに答える会員に○○ポイントプレゼント」等の表示がされこれを選択すると、幾つかの設問が表示される。ユーザー端末６よりこれらの設問への回答を入力して、クイックアンケート結果情報をフィードバック送信するとこの情報をクイック調査データベースに蓄積される。また、クイックアンケート結果情報がフィードバック送信されたことを条件として、このユーザー端末番号に対応する契約者ＩＤのポイントテーブル（不図示）に所定のポイントが加算される。このポイントは、ＥＣサイトで利用可能な電子マネーとして用いたり、通信料や放送料等の利用料の割引料として利用することができる。
【０１１７】
その他、図１５に示す広告配信システムには、ソーシャルネットワーキングサービスサイトやブログと呼ばれる投稿サイトの運営システムを付加してもよい。また、広告データベースの広告コンテンツの提供を、広告主サーバ９あるいは広告製作会社サーバ（不図示）からアップロードできるようにしてもよい。
【符号の説明】
【０１１８】
１    広告配信システム
１１  広告配信システム
１２  広告配信システム
２    広告会社サーバ
２１  広告データベース
２２  マーケティングデータベース
２３  広告ランキングデータベース
２４  専用ウェブサイト
２５  契約者属性データベース
３    通信会社サーバ
３１  通信料課金データベース
３２  契約者属性データベース
５    通信ネットワーク
６    ユーザー端末
７    放送事業者サーバ
７１  通信料課金データベース
７２  契約者属性データベース
８    放送ネットワーク
９    広告主サーバ
【図１】
2012164297.tif 000003
【図２】
2012164297.tif 000004
【図３】
2012164297.tif 000005
【図４】
2012164297.tif 000006
【図５】
2012164297.tif 000007
【図６】
2012164297.tif 000008
【図７】
2012164297.tif 000009
【図８】
2012164297.tif 000010
【図９】
2012164297.tif 000011
【図１０】
2012164297.tif 000012
【図１１】
2012164297.tif 000013
【図１２】
2012164297.tif 000014
【図１３】
2012164297.tif 000015
【図１６】
2012164297.tif 000016
【図１４】
2012164297.tif 000017
【図１５】
2012164297.tif 000018